【事件の表示】
　平成　２年特許願第１９５９８１号「ブック原稿の読み取り装置」拒絶査定に対する審判事件［平成　４年　３月１３日出願公開、特開平　４−　８１１６３］について、次のとおり審決する。
【結　論】
　本件審判の請求は、成り立たない。
【理　由】
１．手続の経緯・本願発明
　本願は、平成２年７月２３日の出願であって、その請求項１に係る発明は、平成１２年１月３１日、および平成１４年１１月１８日付けの手続補正書により補正された明細書及び図面の記載からみて、本願の特許請求の範囲の請求項１に記載されたとおりの次のものと認める。
「【請求項１】　
　ブック原稿の原稿面に沿って移動する読取ユニットと、
　上記読取ユニットの移動方向の前後に配置され、上記原稿面を押さえる押さえ手段と、
　上記押さえ手段の間に配置され、上記読取ユニットの移動の際に上記原稿面の原稿情報を読み取る光学読み取り手段と、
　上記光学読み取り手段を上記原稿面に向かって付勢する付勢手段と、
　上記原稿面に対して接離する方向に上記光学読み取り手段を上記読取ユニットに対して移動可能に支持する支持手段とを有することを特徴とするブック原稿の読み取り装置。」
　
２．引用例
（１）引用例１
　これに対して、原審の拒絶理由に引用された、実願昭６０−８３１８７号（実開昭６１−１９９９７２号）の願書に添付された明細書および図面の内容を撮影したマイクロフィルム（以下、「引用例１」と言う。）には、次の事項が記載されている。
　（ア）「原稿をそれの被読取面を上方に向けて載置する原稿台と該原稿台上の原稿の画像を読み取る画像読取手段とを相対移動自在に設けて成る画像読取装置であって、前記原稿台に対して相対移動自在で且つその原稿載置面に直交する方向に昇降自在の部材に、該昇降部材の昇降方向ならびに前記相対移動の方向夫々に直交する方向の軸芯まわりで回動自在に保持部材を枢着すると共に、この保持部材の回転軸芯から前記相対移動方向両側で前記原稿台に当接する前記相対移動方向両側で前記原稿台に当接する前記保持部材の当接点までの寸法を略等しく設定すると共に、前記画像読取手段の画像読取センサ部を、前記回動軸芯を通って前記当接点どうしを結ぶ線に直交する線上に位置させてあることを特徴とする画像読取装置。」（引用例１の１頁５〜１９行）
　（イ）「上記特徴構成によれば、原稿押え省略の構成による原稿面の曲面に追従して、前記画像読取手段を備えた保持部材が昇降ならびに回動し、而して、原稿面に対するセンサ部の高さ寸法つまり画像読取高さと画像読取角度が常に略一定になる。
　〔実施例〕
　以下、本考案の実施例を図面に基づいて説明すると、第１図に示すように、ブック物などの原稿ａをそれの被読取面を上方に向けて載置する原稿台１をスプリング２を介して本機３に設けると共に、該原稿台１の上部を覆う原稿台覆い部材４を、前記本機３に対して揺動自在に枢着し、かつ、該覆い部材４の枢着軸に平行な幅方向で２本の支持ロッド５を当該覆い部材４に設けると共に、図外の駆動装置によって往復移動操作されるブロック６を前記ロッド５にわたって支持させてある。
　そして、前記原稿台１の原稿載置面に直交する方向の軸孔を有する筒状部材７を、前記スライドブロック６の両側に垂下連設すると共に、上下方向の長孔ｂとこれに係入するピンｃとによって昇降範囲を規制する状態で前記筒状部材７の夫々の軸孔に昇降部材８、８を昇降自在に内嵌させ、かつ、これら昇降部材８、８の下端にブラケット９を設けると共に、該ブラケット９を下方に向けて付勢するスプリング１０、１０を設けてある。
　更に、第２図及び第３図に示すように、前記原稿台１に対して前記支持ロッド５の軸芯方向に相対移動する前記ブラケット９に対して、前記の相対移動方向ならびに前記昇降部材８の昇降方向の夫々に直交する方向の軸芯Ｐまわりで回動自在に保持部材１１を枢着すると共に、この保持部材１１に画像読取手段１２を付設して画像読取装置を構成してある。
　前記保持部材１１は、下向き開口の断面コの字形状のものであって、前記相対移動方向両側の脚部ｄ、ｄの下端には、前記回動軸芯Ｐに平行な軸まわりで回動自在のローラ１３が設けられ、そのローラ１３、１３の原稿台１に対する両当接点Ｔ、Ｔまでの前記回動塾芯Ｐからの寸法ｌ、ｌが等しくなるように設定されている。
　一方、前記画像読取手段１２は、原稿照明用の光源１４と集束性伝導体１５と撮像素子１６を主体にして成り、かつ、前記集束性光伝導体１５の入力部つまり画像読取センサ部ｅを前記回動軸芯Ｐに一致させてある。
　従って、第１図に示すように、前記覆い部材４を開いた状態でブック物などの原稿ａをそれの被読取面を上方に向けて前記原稿台１に載置し、そして、前記覆い部材４を閉じて前記保持部材１１を原稿面に当接させた状態で、前記ブロック６を往復移動させて画像読み取りを行わせるのである。
　このとき、原稿ａの被読取面が曲面を帯びていると、該原稿ａ上に当接位置している前記保持部材１１は、前記スライドブロック６の往復運動に伴って原稿面に追従して昇降ならびに軸芯Ｐまわりで回動し、而して、前記センサ部ｅの画像読取高さならびに画像読取角度が常に一定の状態で原稿ａの画像読み取りが行われるのである。
　第４図に保持部材１１の別実施例を示す。このものは、一対の大径ローラ１７、１７の両端どうしをタイバー１８で枢支連結して保持部材１１を構成したもので、前記タイバー１８の中央部位を昇降部材８の下端部に回動自在に枢着して、その回動軸芯Ｐから前記両ローラ１７、１７の原稿台１に対する当接点Ｔ、Ｔまでの寸法ｌ、ｌが等しくなるようにし、かつ、画像読取手段１２のセンサ部ｅを前記回動軸芯Ｐに一致させてある。」（引用例１の５頁１行〜８頁７行）
　（ウ）「以上説明したように本考案の画像読取装置によれば、原稿押さえを省略した結果において原稿面が曲面を帯びることになるが、この曲面に追従してセンサ部を昇降ならびに回動させることにより、そのセンサ部の画像読取高さならびに画像読取角度を常に一定の状態に保持させることができるようになり、而して、センサ部が読み取る画像の歪みを防ぐことができるに至ったのである。」（引用例１の８頁１８行〜９頁５行）
　（エ）第１図には画像読取装置の説明図が、第２図には画像読取装置の詳細図が、第３図には保持部材の詳細図が、第４図には別実施例の保持部材の詳細図が示されている。
　これらの記載より引用例１には次のことが記載されている。
「ブック物などの原稿をそれの被読取面を上方に向けて載置する原稿台と、該原稿台上の原稿の画像を読み取る画像読取手段とを相対移動自在に設けて成る画像読取装置において、
　図外の駆動装置によって往復移動操作され、ロッド５にわたって支持されているスライドブロック６と、
　前記スライドブロック６の両側に垂下連設すると共に、前記原稿台１の原稿載置面に直交する方向の軸孔を有する筒状部材７と、
　上下方向の長孔ｂとこれに係入するピンｃとによって昇降範囲を規制する状態で前記筒状部材７の夫々の軸孔に昇降自在に内嵌される昇降部材８、８と、
　これら昇降部材８、８の下端にブラケット９を設けると共に、該ブラケット９を下方に向けて付勢するスプリング１０、１０とを設け、
　前記ブラケット９に対して、前記の相対移動方向ならびに前記昇降部材８の昇降方向の夫々に直交する方向の軸芯Ｐまわりで回動自在に枢着されると共に、原稿照明用の光源１４と集束性伝導体１５と撮像素子１６を主体にして成る画像読取手段１２を付設された保持部材１１と、
　前記保持部材１１の下向き開口の断面コの字形状の、相対移動方向両側の脚部ｄ、ｄの下端に設けられた、前記回動軸芯Ｐに平行な軸まわりで回動自在のローラ１３と
　を有する画像読取装置。」
　
３．周知例
（１）周知例１　特開昭６３−９８２７８号公報
　「１次元イメージセンサ（３）、レンズ（４）、照明用ＬＥＤアレイ（５）などの光学部品が一体的に光学機構フレーム（Ｆ１）内に収納されている。このフレーム（Ｆ１）は本体フレーム（Ｆ２）内に挿入されており、上下方向に移動可能とし、さらにフレーム（Ｆ１）とフレーム（Ｆ２）との間のバネ（９）でフレーム（Ｆ１）を原稿（１）に押し付ける構造となっている。」（周知例１の２頁上右欄５〜１２行）
（２）周知例２　特開昭６３−６１５５１号公報
　「リーダー部３は、例えばＬＥＤより成る露光部５を有し、この露光部は保護ガラス６を介して原稿１を照射し、その光像はレンズ等の結像部７を介して１次元ＣＣＤ等の光電変換部８に結像されて電気信号に変換される。」（周知例２の２頁上右欄１４〜１９行）
　「該ユニットと本体にとの間に、該ユニットを原稿面に向けて弾性的に押圧する押圧部材１３が配設される。図示の例では、この押圧部材１３は弾性のクッション材より成るが、これは例えばバネ等によって構成してもよい。」（周知例２の２頁下左欄１２〜１６行）
　「本体２とリーダー部ユニットとの間に、弾性の押圧部材１３が介在している。本体２をＦ２の力で原稿１に圧接させると、弾性押圧部材１３が収縮し、その圧縮弾性力でリーダー部の圧接コロ１２は原稿に密着し、原稿にＡ，Ｂで示すような起伏があり、或いは原稿面が湾曲していても、弾性部材１３の弾性力の作用で圧接コロ１２は常に原稿面と密着を保ち、従って、原稿の画像面と結像部と光電変換部の位置関係に変化は生ずることがなく、従って、コロナ圧接部とＣＣＤ等の光電変換部８との間の光路はレンズにより一定に保たれる事により結像の乱れは防止される。」（周知例２の２頁下右欄３〜１５行）
（３）周知例３　特開昭６３−５６６０号公報
　「読取りと移動量検出に係る構成要素は一体化されている。光源（５０４）、レンズ（５０５）、ライン型のイメージセンサ（５０６）、ローラ（５０７）及びエンコーダ（５１６）がそれぞれ支持部材（５１８）上に一体に構成されており読取り部および検出部を含む支持部材（５１８）はバネ（５１７）により付勢されて、ローラ（５０７）を複写機本体（５０１）の外部に突出させている。」（周知例３の４頁上右欄５〜１８行）
　
４．対比
　そこで、本願請求項１に係る発明（以下、本願発明という。）と引用例１の発明とを比較すると、
　引用例１の「保持部材」は、本願発明の「読取ユニット」に相当し、
　引用例１の「ローラ」は、本願発明の「押さえ手段」に相当し、
　引用例１の「画像読取手段」は、本願発明の「光学読み取り手段」に相当し、
　引用例１の「画像読取装置」は、本願発明の「読み取り装置」に相当するから、
　両者は、
「ブック原稿の原稿面に沿って移動する読取ユニットと、
　上記読取ユニットの移動方向の前後に配置され、上記原稿面を押さえる押さえ手段と、
　上記押さえ手段の間に配置され、上記読取ユニットの移動の際に上記原稿面の原稿情報を読み取る光学読み取り手段と　
を有することを特徴とするブック原稿の読み取り装置」
である点で一致し、下記の点において相違する。
　
（相違点）
　本願発明が、光学読み取り手段を原稿面に向かって付勢する付勢手段と、原稿面に対して接離する方向に光学読み取り手段を読取ユニットに対して移動可能に支持する支持手段とを有するのに対して、引用例１では、画像読取手段１２は保持部材１１に付設されている点。
　
５．当審の判断
　一般的に、読取装置において、光学読み取り手段を原稿面に向かって付勢する付勢手段を設け、原稿面に向かって上下の方向に光学読み取り手段を移動可能とすることは、上記周知例１〜３に示したように周知慣用のことである。また、周知例１では本体フレームＦ２が、周知例２では装置本体２が、周知例３では複写機本体５０１が光学読み取り手段の支持手段となっているが、光学読み取り手段の支持手段を、別途支持手段として設けることは当業者にとって適宜行えることであると認められる。
　したがって、引用例１の保持部材１１に付設された画像読取装置１２を、付勢手段と支持手段を設けて、原稿面に対して接離する方向に画像読取装置を保持部材に対して移動可能に支持するようにすることは当業者が適宜行えることと認められる。
　
　尚、特許請求の範囲の記載の「原稿面に対して接離する方向」との記載が不明瞭であるが、明細書の詳細な説明、審判請求の理由の記載事項、電話での問い合わせ等から、光学読取装置が原稿面に接した状態で、「原稿面の凹凸等に沿って上下する方向」であると認められる。
　
６．むすび
　したがって、本願発明は引用例１に記載された発明、及び周知例に基づいて当業者が容易に発明をすることができたものであるので、特許法第２９条第２項の規定により特許を受けることができない。
　よって、結論のとおり審決する。